(57)【要約】アドレス指定可能なブロックを表すマークをトラック中に書き込むことにより、情報を記録する多層記録担体。各記録層は、トラックを示す予め形成された記録制御パターンを有し、そのパターンは、トラックの開始点に対するその物理アドレスの物理的な位置を示す物理アドレス（５９）を含んでいる。物理アドレスをなす予め規定された数のビットは、トラックの開始点に対する物理的な位置を示す。物理アドレスをなす予め規定された数のアドレスビットのうち少なくとも１つのアドレスビットは、記録層を示す値を有する層アドレスビット（６０）として割り当てられている。記録装置は、層アドレスビットに依存して記録層を検出する、層ユニット（３４）を有している。
2006521649.tif 000002
【特許請求の範囲】
【請求項１】
当該記録担体の入射面から入射する放射ビームによって、アドレス指定可能な情報ブロックを表す記録単位で記録されるマークを、トラック中に書き込むことにより情報を記録する、書込可能型の記録担体であって、
−  少なくとも第１の記録層と第２の記録層とを備え、前記第１の記録層が、前記第２の記録層よりも前記入射面に近い位置にあり、
−  各記録層が、前記トラックを示す予め形成された記録制御パターンを含み、該パターンが、予め規定された数のアドレスビットを有する物理アドレスを含み、該予め規定された数のアドレスビットが、前記トラックの開始点に対する該物理アドレスの物理的な位置を示すものであり、前記物理アドレスの前記予め規定された数のアドレスビットのうち少なくとも１つのアドレスビットが、記録層を示す値を有する少なくとも１つの層アドレスビットを構成していることを特徴とする記録担体。
【請求項２】
前記少なくとも１つの層アドレスビットが、前記物理アドレスの最上位ビットに対応することを特徴とする請求項１記載の記録担体。
【請求項３】
前記層アドレスビットが、前記第１の記録層において値０を有することを特徴とする請求項１記載の記録担体。
【請求項４】
前記予め形成された記録制御パターンが、前記トラックの位置を示すプリグルーブにより構成されており、該プリグルーブが、前記トラックの長手方向と交差する方向への該プリグルーブの変位により構成されるウォブルを呈しており、該ウォブルが、前記少なくとも１つの層アドレスビットを含む前記物理アドレスを表す変調を呈していることを特徴とする請求項１記載の記録担体。
【請求項５】
前記第１の記録層の終了個所に配された第１の中間部分と前記第２の記録層の開始個所に配された第２の中間部分とにより物理的に構成された中間領域によって分断された、多数の部分を有する記録領域を構成するために、前記第１の記録層上の前記プリグルーブが第１の方向に螺旋状に延設され、前記第２の記録層上の前記プリグルーブが前記第１の方向とは逆の第２の方向に螺旋状に延設されており、かつ、前記層アドレスビットが、前記第２の記録層において値１を有することを特徴とする請求項４記載の記録担体。
【請求項６】
放射ビームによって、記録担体上のトラック中にマークを記録する装置であって、
前記記録担体が、
−  少なくとも第１の記録層と第２の記録層とを備え、前記第１の記録層が、前記第２の記録層よりも入射面に近い位置にあり、
−  各記録層が、前記トラックを示す予め形成された記録制御パターンを含み、該パターンが、予め規定された数のアドレスビットを有する物理アドレスを含み、該予め規定された数のアドレスビットが、前記トラックの開始点に対する該物理アドレスの物理的な位置を示すものであり、前記物理アドレスの前記予め規定された数のアドレスビットのうち少なくとも１つのアドレスビットが、記録層を示す値を有する少なくとも１つの層アドレスビットを構成している記録担体であり、
当該装置が、
−  前記ビームを与えるヘッドと、
−  前記ビームによって、アドレス指定可能な情報ブロックを表す記録単位で記録されるマークを、前記トラック中に書き込む記録手段と、
−  前記トラック中のマークを検出するための走査信号を発生させるフロントエンドユニットと、
−  前記予め形成された記録制御パターンから、前記少なくとも１つの層アドレスビットを含む前記物理アドレスを取り出す復調手段と、
−  該少なくとも１つの層アドレスビットに依存して、記録層を検出する層ユニットとを含むことを特徴とする装置。
【請求項７】
前記記録手段は、論理アドレスフィールドを含む、アドレス指定可能な情報ブロックを表す単位を記録するように構成されており、該論理アドレスフィールドは、前記物理アドレスに基づくが、前記少なくとも１つの層アドレスビットを除外することにより該物理アドレスとは異なるものとされた、論理アドレス値を含むことを特徴とする請求項６記載の装置。
【請求項８】
前記記録手段は、論理アドレスフィールドを含む、アドレス指定可能な情報ブロックを表す単位を記録するように構成され、該論理アドレスフィールドは、前記物理アドレスと前記少なくとも１つの層アドレスビットとに基づく論理アドレス値、とりわけ前記少なくとも１つの層アドレスビットを含む前記予め規定された数のアドレスビットのコピーを含むことを特徴とする請求項６記載の装置。
【請求項９】
前記層ユニットが、意図された記録層の値と、前記少なくとも１つの層アドレスビットから検出された層の値とのずれに応じて、記録処理を中断するように構成されている
ことを特徴とする請求項６記載の装置。
【発明の詳細な説明】
【技術分野】
【０００１】
本発明は、トラック中にマークを書き込むことにより情報を記録する、書込可能型の記録担体に関するものである。
【０００２】
本発明はまた、かかる記録担体に記録を行う装置にも関するものである。
【背景技術】
【０００３】
ある光記録媒体が、米国特許出願公開２００２／００３１０６３号より知られている。この記録担体は、複数の記録層を有し、各記録層は、光読出可能なマークを記録することによりその中に情報が表されるべきトラックの位置を示す、案内溝（通常、プリグルーブと呼ばれる）を備えている。プリグルーブは、トラックの交差方向への周期的な変位（以下、ウォブルと呼ぶ）によって蛇行している。走査装置には、トラックを走査する放射ビームを発生させるためのヘッドが設けられている。走査される面の反射率の変動によって、その走査中においてマークが検出される。反射された放射の強度の変動は、主検出系によって検出される。さらに、走査装置は、プリグルーブに基づいて、ヘッドをトラック上に位置決めするためのトラッキングサーボ信号も発生させる。ウォブルの周期をモニタリングすることにより記録先の目的の層を検出するため、ウォブルは、異なる記録層上においては異なる周期を有する。とりわけ、記録装置は、記録が意図された目的の層とは異なる層への記録が生じた際に、記録エラーを検出するように構成されている。
【発明の開示】
【発明が解決しようとする課題】
【０００４】
上記の記録システムの１つの問題点は、ウォブル周波数検出ユニットが記録装置内に含まれていなくてはならず、劣化したウォブル検出信号のため（たとえば埃や傷のため）に、ウォブル周波数の誤特定が起こり兼ねない点である。
【０００５】
したがって、本発明の１つの目的は、より利便性の高い手法で記録層を検出するための、記録担体および走査装置を提供することである。
【課題を解決するための手段】
【０００６】
本発明の第１の側面によれば、上記の目的は、当該記録担体の入射面から入射する放射ビームによって、アドレス指定可能な情報ブロックを表す記録単位で記録されるマークを、トラック中に書き込むことにより情報を記録する、書込可能型の記録担体であって、少なくとも第１の記録層と第２の記録層とを備え、第１の記録層が、第２の記録層よりも上記の入射面に近い位置にあり、各記録層が、トラックを示す予め形成された記録制御パターンを含み、そのパターンが、予め規定された数のアドレスビットを有する物理アドレスを含み、それら予め規定された数のアドレスビットが、トラックの開始点に対するその物理アドレスの物理的な位置を示すものであり、物理アドレスのそれら予め規定された数のアドレスビットのうち少なくとも１つのアドレスビットが、記録層を示す値を有する少なくとも１つの層アドレスビットを構成している記録担体によって達成される。
【０００７】
本発明の第２の側面によれば、上記の目的は、放射ビームによって、上記の記録担体上のトラック中にマークを記録する装置であって、ビームを与えるヘッドと、そのビームによって、アドレス指定可能な情報ブロックを表す記録単位で記録されるマークを、トラック中に書き込む記録手段と、トラック中のマークを検出するための走査信号を発生させるフロントエンドユニットと、予め形成された記録制御パターンから、少なくとも１つの層アドレスビットを含む物理アドレスを取り出す復調手段と、その少なくとも１つの層アドレスビットに依存して、記録層を検出する層ユニットとを含む装置によって達成される。
【０００８】
上記の方策の効果は、層情報が、物理アドレス情報と直接一緒に入手可能となることである。このことの利点は、別個の層情報を取り出す必要がなくなるという点である。
【０００９】
本発明はまた、以下の認識に基づいている。単層ディスク用の既存の記録可能型フォーマットは、ＤＶＤ＋ＲＷ用のもののように、既に市場にあるかもしれない。かかる既存の記録フォーマットに対する互換性が必要である。別個のまたは追加のビットとして追加の層情報を含めることは、この層情報を容易に取り出すことをできなくするという不都合を有する。本発明の発明者は、互換性を減らすことなく、物理アドレスを示すために既に割り当てられているビットのいくつかを再定義して、層情報を示すものとすることができると考えた。
【００１０】
本発明の記録担体のある実施形態では、第１の記録層の終了個所に配された第１の中間部分と第２の記録層の開始個所に配された第２の中間部分とにより物理的に構成された中間領域によって分断された、多数の部分を有する記録領域を構成するために、第１の記録層上のプリグルーブが第１の方向に螺旋状に延設され、第２の記録層上のプリグルーブが上記の第１の方向とは逆の第２の方向に螺旋状に延設されており、かつ、層アドレスビットが、第２の記録層内において値１を有する。このことは、層アドレスビットが、二層逆行トラックパスＤＶＤのアドレスビットに対応する値を有することになるという利点を有する。
【００１１】
本発明の装置のある実施形態では、記録手段は、論理アドレスフィールドを含む、アドレス指定可能な情報ブロックを表す単位を記録するように構成され、その論理アドレスフィールドは、上記の物理アドレスに基づくが、少なくとも１つの層アドレスビットを除外することにより物理アドレスとは異なるものとされた、論理アドレス値を含むものとされる。このことは、層を示すために物理アドレスを利用可能としながら、予め規定された論理アドレス指定方式に従って第２の記録層の記録を行うことができるという利点を有する。このことは、ＤＶＤ平行トラックパス（ｐａｒａｌｌｅｌ  ｔｒａｃｋ  ｐａｔｈ；ＰＴＰ）フォーマットに従う二層記録担体への記録に、特に深く関係する。
【００１２】
本発明に従う装置の他の好ましい実施形態は、さらに別の請求項に示されている。
【発明を実施するための最良の形態】
【００１３】
本発明の上記およびその他の側面は、以下において図面を参照しながら例として説明する実施形態を参照することにより、さらに明らかとなる。図中において、前に述べた要素に対応する要素は、同一の参照番号を有する。
【００１４】
図１ａは、トラック９と中心穴１０とを有する、ディスク形状の記録担体１１を示している。トラック９は、情報層上において実質的に平行なトラックを構成する、複数回転の螺旋パターンに従って配されている。この記録担体は、記録可能な情報層を有する光ディスクであってもよい。記録可能型のディスクの例としては、ＣＤ−Ｒ、ＣＤ−ＲＷ、およびＤＶＤ＋ＲＷが挙げられる。記録可能型の記録担体上のトラック９は、空の記録担体の製造時に付与された、予めエンボス形成されたトラック構造（たとえばプリグルーブ）により示されている。記録された情報は、トラックに沿って記録された光検出可能なマークにより、情報層上に表される。これらのマークは、物理パラメータの変動により構成され、それにより周辺部分とは異なる光学的特性を有する。これらのマークは、反射ビームの変動（たとえば反射率の変動）によって検出可能である。
【００１５】
図１ｂは、記録可能型の記録担体１１の、直線ｂ−ｂに沿って得られた断面図である。図１ｂでは、透明基板１５に、記録層１６および保護層１７が付与されている。トラック構造は、たとえば、走査時において読出／書込ヘッドがトラック９を辿ることを可能とする、プリグルーブ１４により構成されている。プリグルーブ１４は、凹状部として実装されても凸状部として実装されてもよいし、プリグルーブの材料とは異なる光学的特性を有する材料からなっていてもよい。プリグルーブは、走査時において、読出／書込ヘッドがトラック９を辿ることを可能とする。トラック構造はまた、周期的にサーボ信号を生じさせる、規則的に分配された複数のサブトラックにより形成されてもよい。ユーザーデータは、たとえばＤＶＤ記録フォーマットにおけるセクタとしてフォーマット化されるといったように、アドレス指定可能な情報ブロックを表す記録単位で記録される。記録担体は、たとえばビデオ情報やオーディオ情報といったリアルタイム情報を担持するよう意図されたものであってもよいし、コンピュータデータ等の他のデータを担持するよう意図されたものであってもよい。
【００１６】
図１ｃは、トラックのウォブルの一例を示した図である。この図は、トラックの交差方向位置の周期的な変動（これがウォブルとも呼ばれる）を示している。この変動は、補助検出器中（たとえば、走査装置のヘッド内の中心スポットにある分割検出器により発生させられるプッシュプルチャネル中）において、追加の信号が生じるようになす。ウォブルは、たとえば周波数変調されており、位置情報がその変調中にコード化されている。そのようにコード化されたディスク情報を含む、書込可能型のＣＤシステムにおける図１ｃに示したような従来技術のウォブルに関する包括的な説明が、米国特許第４，９０１，３００号（整理番号ＰＨＮ１２．３９８）および第５，１８７，６９９号（整理番号ＰＨＱ８８．００２）に記載されている。ウォブル変調は、たとえば図６に示されているように、物理アドレスをコード化するのに用いられる。一方、ウォブル復調は、図７に示されている。
【００１７】
本発明によれば、記録担体は多層記録担体であり、各記録層は、トラックを示す予め形成された記録制御パターン（たとえばプリグルーブ）を含む。予め形成された記録制御パターンは、トラックの開始点に対するその物理アドレスの物理的な位置を示す、物理アドレスをコード化している。物理アドレスは、予め規定された数のアドレスビットを割り当てる予め規定されたフォーマットを有する。この物理アドレスは、トラックの開始点に対するデータブロックの位置決めのため、予め形成された記録制御パターンから取り出される。物理アドレスの上記の予め規定された数のアドレスビットのうちの、少なくとも１つのアドレスビットは、層アドレスビットとしてのさらなる役割を割り当てられる。層アドレスビットは、図５および６を参照して後で詳述するような、記録層を示す値を有する。ここで、二層ディスクに対しては、１つの層アドレスビットで十分である点に留意されたい。しかしながら、より多くの層に対応するために、より多数の層アドレスビットが割り当てられてもよい。この明細書、図面、および特許請求の範囲において、「層アドレスビット」とは、数個の層アドレスビットが全体で１つの層番号を表している形態のものも含むものとする。
【００１８】
ある実施形態では、層アドレスビットは、物理アドレスの最上位ビットに割り当てられる。実際のディスクでは、物理アドレスは（１つまたは複数の）最上位ビットを必要としないかもしれず、また、（１つまたは複数の）最上位ビットが物理アドレスから除かれるかもしれない。ここで、物理アドレスのいくつかの最上位ビットは、冗長と考えてもよいものであるかもしれない点に留意されたい。これは、記録装置が、ヘッドの全体的な半径方向位置を検出する他の手段を有しているためである。ある実施形態では、層ビットが割り当てられた物理アドレスが、変調されていない物理アドレスと交互に配される。たとえば、３つの変調された物理アドレスの後に、１つの変調されていない物理アドレスが続くといった具合である。これにより、数個の連続して連なるアドレスを読み出すことで、層番号と完全な物理アドレスとを検出するための十分な情報が与えられる。
【００１９】
ある変更実施形態では、物理アドレスの最下位ビットが、層アドレスビットとして割り当てられてもよい。その結果、２つの連続する物理アドレスが同一の値を有することとなり、これにより物理アドレスの解像度（ｒｅｓｏｌｕｔｉｏｎ）が減る。そのため、物理アドレスを探索する際には、少なくとも２つの連続する物理アドレスを取り出して、トラック中の位置を特定しなくてはならない。たとえば、２つの連続するアドレスが等しい場合には、２番目のアドレスがもともと物理アドレスの最下位ビットに値１を有していたこととなる。
【００２０】
図２は、物理アドレス情報から層情報を取り出す記録装置を示した図である。この装置には、記録担体１１上のトラックを走査する手段が設けられており、この手段は、記録担体１１を回転させる駆動ユニット２１と、ヘッド２２と、ヘッド２２をトラック上に位置決めするためのサーボユニット２５と、制御ユニット２０とを含んでいる。ヘッド２２は、放射ビーム２４を発生させる既知のタイプの光学系を含んでおり、この放射ビーム２４は、光学素子を介して導かれ、記録担体の情報層のトラック上の放射スポット２３に合焦させられる。放射ビーム２４は、たとえばレーザーダイオードといった放射源により発生させられる。ヘッドはさらに、放射ビーム２４の焦点をビームの光軸に沿って移動させる焦点アクチュエータと、トラック中心の半径方向位置にスポット２３を精度よく位置決めするためのトラッキングアクチュエータとを含んでいる（図示せず）。トラッキングアクチュエータは、光学素子を半径方向に移動させるコイルを含んでいてもよいし、あるいは反射素子の角度を変更するように構成されていてもよい。焦点アクチュエータおよびトラッキングアクチュエータは、サーボユニット２５からのアクチュエータ信号によって駆動される。読出しの際には、情報層により反射された放射が、ヘッド２２内にある通常のタイプの検出器（たとえば４分割ダイオード）によって検出され、フロントエンドユニット３１に結合される検出器信号が発生させられ、このフロントエンドユニット３１において、様々な走査信号が発生させられる。走査信号には、主走査信号３３と、トラッキングおよび焦点調整用の誤差信号３５とが含まれる。誤差信号３５は、上記のトラッキングアクチュエータおよび焦点アクチュエータを制御するため、サーボユニット２５に結合される。誤差信号３５はまた、ウォブル変調から物理アドレスおよび層情報を取り出すため、ウォブル復調ユニット３２にも結合されている。ウォブル変調検出の１つの詳細な実施形態が、図７に示されている。情報を取り出すため、主走査信号３３は、復調器、デフォーマッタ、および出力ユニットを含む、通常のタイプの読出処理ユニット３０によって処理される。
【００２１】
この装置には、書込可能型または書換可能型の記録担体上（たとえば、ＣＤ−Ｒ、ＣＤ−ＲＷ、ＤＶＤ＋ＲＷ、またはＢＤ上）に情報を記録するための、記録手段が設けられている。この記録手段は、ヘッド２２およびフロントエンドユニット３１と協働して、書込用の放射ビームを発生させるものであり、入力情報を処理してヘッド２２を駆動させる書込信号を発生させるための書込処理手段を含んでいる。この書込処理手段は、入力ユニット２７、フォーマッタ２８、および変調器２９を含んでいる。情報を書き込むため、放射ビームは、データブロックを構成する光検出可能なマークを記録層内に生成するように制御される。マークは、光読出可能ないかなる形態のものであってもよく、たとえば、染料、合金、または相変化材料といった材料に記録を行う際に得られる、周辺部分と異なる反射係数を有する領域の形態であってもよいし、光磁気材料に記録を行う際に得られる、周辺部分と異なる分極方向を有する領域の形態であってもよい。
【００２２】
光ディスクへの記録およびフォーマット化のための情報の書込および読出技術、誤差修正技術、およびチャネルコード化の規則は、当該技術分野において（たとえばＣＤシステムやＤＶＤシステムより）よく知られている。ある実施形態では、入力ユニット２７は、アナログオーディオおよび／またはビデオ信号や圧縮されていないデジタルオーディオ／ビデオ信号といった入力信号のための、圧縮手段を含む。適当な圧縮手段は、ビデオ信号に関してはＭＰＥＧの規格に記載されている。ここで、ＭＰＥＧ−１はＩＳＯ／ＩＥＣ  １１１７２において規定されたものであり、ＭＰＥＧ−２はＩＳＯ／ＩＥＣ  １３８１８において規定されたものである。あるいは、入力信号は、そのような規格に従って既にコード化されているものであってもよい。
【００２３】
制御ユニット２０は、情報の走査および取出しを制御するものであり、ユーザーまたはホストコンピュータからコマンドを受け取るように構成されていてもよい。制御ユニット２０は、制御ライン２６（たとえばシステムバス）を介して、装置内の他のユニットに接続されている。制御ユニット２０は、たとえば以下に述べる処理および機能を実行するためのマイクロプロセッサ、プログラムメモリ、およびインターフェースといった、制御回路構成を含んでいる。制御ユニット２０はまた、論理回路内にステートマシンとして実装されていてもよい。
【００２４】
この装置は、走査されている層の実際の層番号を層アドレスビットから検出するため、ウォブル復調ユニットに接続された層ユニット３４を有している。ある実施形態では、層ユニットは、層番号にエラーが検出されたときはデータブロックの記録を中断するように構成される。したがって、意図された記録層番号と検出された実際の層番号とのずれはエラー状態として分類され、終了させられる。
【００２５】
図３は、多層光ディスクを示した図である。Ｌ０は第１の記録層４０であり、Ｌ１は第２の記録層４１である。第１の透明層４３が第１の記録層を覆っており、透明スペーサー層４２が両記録層４０と４１とを隔てており、基板層４４が第２の記録層４１の下に示されている。第１の記録層４０は、第２の記録層４１よりも、記録担体の入射面４７に近い位置に配されている。Ｌ０層上に合焦させられた第１の状態４５のレーザービーム、およびＬ１層上に合焦させられた第２の状態４６のレーザービームが示されている。各記録層は、プリグルーブのウォブル変調を有しており、このウォブル変調により、層アドレスビットを含む物理アドレス情報がコード化されている。ある実用的な実施形態では、層アドレスビットは、第１の記録層において値０を有する。
【００２６】
多層ディスクは、ＤＶＤ−ＲＯＭやＤＶＤ−ビデオといった、読出専用の予め記録されたディスクとして既に入手可能である。二層ＤＶＤ＋Ｒディスクも近年提案されており、これは好ましくは二層ＤＶＤ−ＲＯＭの規格と互換性を有するべきものである。両層の反射レベルは、＞１８％である。Ｌ０層は、５０から７０％程度の透過率を有している。スペーサー層は、典型的には３０から６０μｍの厚さで２つの層を隔てる。Ｌ１層は、高い反射率を有する層であり、極めて高感度である必要がある。書換可能型の二層ディスクも提案されている。Ｌ０層は、４０から６０％程度の透過率を有する。両層の実効反射率は、典型的には７％であるが、より低いまたはより高い値もあり得る（３％から１８％程度）。三層以上の記録層を有する書込可能型および書換可能型の光記憶媒体も考えられる。ＤＶＤ−ＲＯＭ規格等により規格化された既存の読出専用記録担体との間で必要な互換性のため、記録可能な（または書換可能な）ＤＶＤ型の二層ディスクのレイアウトには、２つの可能な選択肢がある。これら２つの選択肢は、「平行トラックパス」（ｐａｒａｌｌｅｌ  ｔｒａｃｋ  ｐａｔｈ；ＰＴＰ）および「逆行トラックパス」（ｏｐｐｏｓｉｔｅ  ｔｒａｃｋ  ｐａｔｈ；ＯＴＰ）と呼ばれる。これらは、両層内の螺旋構造の方向を示した呼び名である。ＰＴＰディスクでは、１層につき１つの情報領域（したがって、合計２つの情報領域）があるが、ＯＴＰディスクでは、２つの層にまたがる１つの情報領域がある。
【００２７】
図４は、逆行トラックパス記録担体を概略的に示した図である。横方向の矢印５１は、半径方向位置（外側ほど大）を示しており、縦方向の矢印５２は、物理アドレスすなわちセクタ番号を示している。曲線４９は、外側に行くほど増大するＬ０層４０のアドレスを示しており、曲線５０は、内側に行くほどさらに増大するＬ１層４１のアドレスを示している。記録領域は、Ｌ０層上の第１データ領域５４と、Ｌ１層上の第２領域５７とを有しており、これら２つの領域は、中間領域により分断されている。この中間領域は、Ｌ０記録層４０の終了個所に配された第１の中間部分５５と、Ｌ１記録層４１の（トラック方向の）開始個所に配された第２の中間部分５６とにより構成されている。データ領域５４および５７内の矢印は、螺旋構造の方向を示している。記録領域に先行して、Ｌ０記録層の開始個所にリードイン領域５３がある。また、記録領域は、Ｌ１記録層の終了個所にあるリードアウト領域５８で締めくくられる。ここで、２つより多くの層を有する多層ディスクは、第２の記録層の終了個所に第３の中間領域を有し、第３の記録層の開始個所に第４の中間領域を有し、以下同様というように構成されてもよい点に留意されたい。リードアウト領域が、最後の記録層を締めくくる。本発明によれば、各層の物理アドレス情報は、プリグルーブのウォブル中にコード化される。物理アドレスは、１ビット以上の層アドレスビットを含む。ある実施形態では、層アドレスビットは、第２の記録層において値１を有し、第１の記録層において値０を有する。かかる値の割当ては、ＯＴＰ型の二層ＤＶＤにおける論理アドレスの最上位ビットの値に対応する。
【００２８】
図５は、ＡＤＩＰワードデータを示している。図５には、図６を用いて後述するＡＤＩＰウォブルコード化を使用してコード化することができる、ビット０からビット５１が列挙されている。ビット０およびビット１は、固定値を有している。ビット２からビット２３は、２２ビットの物理アドレス５９を構成する。物理アドレス５９は、詳細に図示されているように、ビット２に割り当てられた層アドレスビット６０を有しており、一方、残りのビット３から２２は、実効的な物理アドレスを構成する。ＡＤＩＰビットのフォーマットはさらに、データ領域内においてはゼロに設定されなくてはならない８個の予備ビット（ビット２４から３１）と、２０個のエラー訂正用ビット（ニット３２から５１；パリティニブル）とを有する。ＤＶＤでは、バイト数は４．７ＧＢに制限されており、２０４８バイトのデータブロックが用いられる。したがって、最上位ビット（ビット２）は、アドレス指定には必要とされない。ビット２は、層アドレスビットとして割り当てられ、レーザーに最も近いＬ０層について値０を有するか、レーザーから最も遠いＬ１層について値１を有する。最初のＡＤＩＰビット（留保され、ゼロに設定されているビット１）は、他の目的に使用可能である。
【００２９】
第２の例として、四層ディスク（すべての層が同一側から読出可能）について説明する。この場合、物理アドレス中の２つの最上位ビットが用いられる（たとえば、層１について００、層２について０１、層３について１０、および層４について１１といったように）。一般に、層の識別に使用されるビットの数は、
Ｎｍｓｂ＝２ｌｏｇ（層の数）
との関係から見出される（整数でない場合は、次の最も高い整数に丸める）。層の合計の数は、リードイン領域内において明示されてもよい。また、層番号の割当用に割り当てられたビットの数は、導出されてもよいし、同様に明示されてもよい。
【００３０】
ある実施形態では、層アドレスビットの数は、上記の式により必要とされる数よりも少ないが、少なくとも１個とされる。たとえば、奇数番目の層および偶数番目の層が、１個の層アドレスビットによって示されてもよい。装置内における層検出は、まず予想される層アドレスビットのずれを検出することに基づいており、その後、層番号を完全に特定するために、他の制御情報が取り出される。ここで、かかる限られた数の層アドレスビットからは、極めて不測の層の跳びが検出される可能性も依然としてある点に留意されたい。
【００３１】
図６は、ウォブル変調内におけるＡＤＩＰ情報を示した図である。ウォブル変調は、ＤＶＤ＋ＲＷシステムにおいてアドレス・イン・プリグルーブ（ＡＤＩＰ）と呼ばれる、追加情報をコード化する。各ＡＤＩＰビット６５は、ＡＤＩＰビット同期（３２チャネルビットに対応する１ウォブル周期６４）と、それに続くＡＤＩＰワード同期フィールド（３ウォブル周期）と、４ウォブル周期のＡＤＩＰデータビットフィールドと、それに最後に続く８５回の単調（すなわち変調されていない）ウォブル周期とにより構成されている。図６には、ワード同期フィールドが反転させられたウォブルを有し、データビットフィールドが変調されていないウォブルを有する、ＡＤＩＰワード同期としてコード化された第１のウォブル６１が示されている。第２のウォブル６２は、データビット値０をコード化しており、第３のウォブル６３は、値１のデータビットをコード化している。物理アドレスおよび層アドレスビットの割当ては、上記で図５を用いて説明したとおりである。
【００３２】
図７は、ウォブル復調ユニットを示した図である。入力ユニット７１は、トラックを走査するヘッドから導出されるプッシュプル信号を供給する。フィルタ７２は、ウォブル周波数を分離してウォブル信号を発生させるために、高域通過フィルタおよび低域通過フィルタによって信号をフィルタリングする。位相ロックループ７３は、ウォブル周波数にロックされており、３２倍逓倍器７５を介して、チャネルビットの単位でマークを記録するための同期書込クロックを発生させる。同期ウォブルユニット７４は、やはりウォブル信号を受信する乗算器７６に、ウォブルクロック周期を供給する。乗算器７６の出力は、積分・ダンプユニット７７内において積分され、その出力は、サンプリングスイッチを介して、同期閾値検出器７８へとサンプリングされる。この同期閾値検出器７８は、ＡＤＩＰビット同期を検出するＡＤＩＰビット同期装置に接続されている。第２の乗算器８１には、２つの反転ウォブルおよび２つの非反転ウォブルを有する４ウォブル周期分の信号と、４ウォブル周期に亘る同期検出のための第２の入力部上のウォブル信号とが供給される。第２の積分・ダンプユニット８２は、乗算器８１の出力信号を積分する。一方、ビット値閾値検出器８３は、コード化されたビットの値を検出するためのものである。
【００３３】
以上、本発明を、主として反射率の変化に基づく光ディスクを用いた実施形態によって説明してきたが、本発明は他の記録担体にも適している。それにはたとえば、矩形の光カード、光磁気ディスク、または書込可能な記録担体上に予め適用されたパターンを有するあらゆるタイプの情報記憶系が含まれる。ここで、この明細書、図面、および特許請求の範囲において、「含む」または「備える」との語は、列挙された以外の要素または工程の存在を排除するものではなく、また、ある要素の前に置かれた「１つの」との語は、かかる要素が複数存在することを排除するものではない点に留意されたい。また、いずれの参照番号も本発明の範囲を限定するものではなく、本発明はハードウェアとソフトウェアとの両方によって実装可能であり、また、いくつかの「手段」または「ユニット」がハードウェアまたはソフトウェアの同一の項目により実現されてもよい点にも留意されたい。さらに、本発明の範囲は上記の実施形態に限定されるものではなく、本発明の思想は、上記に説明した各々すべての新規な特徴および特徴の組合せに内在する。  
【図面の簡単な説明】
【００３４】
【図１ａ】ディスク形状の記録担体の上面図
【図１ｂ】図１ａの記録担体の断面図
【図１ｃ】トラックのウォブルの一例を示した図
【図２】物理アドレス情報から層情報を取り出す、記録装置を示した図
【図３】多層光ディスクを示した図
【図４】逆行トラックパス記録担体の概略図
【図５】物理アドレス情報と層情報とを示した図
【図６】ウォブル変調内のＡＤＩＰ情報を示した図
【図７】ウォブル復調ユニットを示した図
2006521649.tif 000003
【図２】
2006521649.tif 000004
【図３】
2006521649.tif 000005
【図４】
2006521649.tif 000006
【図５】
2006521649.tif 000007
【図６】
2006521649.tif 000008
【図７】
2006521649.tif 000009
【国際調査報告】
2006521649.tif 000010
2006521649.tif 000011